(57)【特許請求の範囲】
【請求項１】
被測定対象である指の周囲の一部に沿う第１湾曲部を有する基部と、
前記基部に回動部で連結され、前記指の周囲の他の一部に沿う第２湾曲部を有し、前記指の周囲に開口部が形成された状態で前記指に装着可能な少なくとも１つの可動部と、
前記少なくとも１つの可動部の前記開口部が形成される第１の端部とは反対側の第２の端部と前記基部との位置関係を調節することによって前記可動部の前記基部に対する角度を調節可能な調節部と、
前記基部、前記可動部及び前記開口部によって前記指の周囲に沿うように形成される内周部の少なくとも一部に設けられ、前記指の周囲の一部を圧迫する圧迫部と、
を備え、
前記圧迫部により圧迫される指の周囲の被圧迫部分と、前記可動部によって形成される前記指の周囲の開口部とが、前記指の中心軸に対して互いに非対称であることを特徴とする指用血圧計用カフ。
【請求項２】
前記調節部は、調節用のネジを有することを特徴とする請求項１に記載の指用血圧計用カフ。
【請求項３】
前記調節部は、調節用の弾性体を有することを特徴とする請求項１に記載の指用血圧計用カフ。
【請求項４】
複数の前記可動部を備え、
前記複数の前記可動部のうちの第１可動部が有する前記第２湾曲部の形状と、前記複数の前記可動部のうちの第２可動部が有する前記第２湾曲部の形状とが、前記指の中心軸に対して互いに非対称であることを特徴とする請求項１から３の何れか一項に記載の指用血圧計用カフ。
【請求項５】
前記基部は、前記指の周囲の一部に沿う第３湾曲部を更に有し、
前記可動部の前記第２湾曲部の形状と、前記基部の前記第３湾曲部の形状とが、前記指の中心軸に対して互いに非対称であることを特徴とする請求項１から４の何れか一項に記載の指用血圧計用カフ。
【発明の詳細な説明】
【技術分野】
【０００１】
本発明は、指用血圧計用カフに関する。
【背景技術】
【０００２】
血圧計用カフは、血圧計本体に接続されており、血圧測定時に被測定部位に巻き付けられる。血圧計用カフの内部に空気袋が設けられている。空気袋に空気を供給して空気袋を膨張させ、被測定部位の血圧を測定する。非侵襲的に血圧を測定する手法の中で、一心拍毎に連続測定が可能な方法として容積補償法がある。この容積補償法を実現するには、測定部位の動脈血管を体表面より圧迫し、その血管内の容積を一定に保つ制御が必要とされる。この測定方法に適する測定部位として、一般的に手指が用いられる。これまでの容積補償法を用いた血圧計では、指に巻き付ける方式や、筒状のカフに指を挿入する方式の指カフが用いられてきた。なお、本発明と関連する技術としては、以下の特許文献が存在している。
【先行技術文献】
【特許文献】
【０００３】
【特許文献１】特開平９−２８９９７７号公報
【特許文献２】特表２０１３−５１０６４２号公報
【特許文献３】特開昭６１−２３８２２７号公報
【特許文献４】実開平２−１０８０５号公報
【特許文献５】特開２００５−４０４９８号公報
【発明の概要】
【発明が解決しようとする課題】
【０００４】
被測定部位として指を採用する場合、指にカフを巻き付けて指の動脈の血圧の測定が行われる。指にカフを巻き付けて指の動脈の血圧を測定する際、指の周囲の全てをカフで囲った状態で血圧を測定すると、指の静脈が過度に圧迫されて指が鬱血する場合がある。また、指に対して加圧及び減圧を連続で制御する事により、指の動脈の血圧の連続測定が行われる。指の動脈の血圧を連続測定する場合、指が鬱血することで測定結果に悪影響を及ぼすおそれがある。本発明は、上記の課題に鑑みてなされたものであり、血圧を測定する際における指の鬱血を抑制する技術を提供することを目的とする。
【課題を解決するための手段】
【０００５】
本発明の一観点によると、被測定対象である指の周囲の一部に沿う第１湾曲部を有する基部と、前記基部に回動部で連結され、前記指の周囲の他の一部に沿う第２湾曲部を有し、前記指の周囲に開口部が形成された状態で前記指に装着可能な少なくとも１つの可動部と、前記可動部の前記基部に対する角度を調節可能な調節部と、前記基部、前記可動部及び前記開口部によって前記指の周囲に沿うように形成される内周部の少なくとも一部に設けられ、前記指の周囲の一部を圧迫する圧迫部と、を備える指用血圧計用カフが提供される。
【発明の効果】
【０００６】
本発明によれば、血圧を測定する際における被測定部位の鬱血を抑制することができる。
【図面の簡単な説明】
【０００７】
【図１】図１は、第１実施形態に係る血圧測定装置の一例を示す図である。
【図２】図２は、第１実施形態に係るカフの一例を示す図である。
【図３】図３は、第１実施形態に係るカフの一例を示す図である。
【図４】図４は、第１実施形態に係るカフの一例を示す図である。
【図５】図５の（Ａ）及び（Ｂ）は、第１実施形態に係るカフの一例を示す図である。
【図６】図６は、第１実施形態に係るカフの一例を示す図である。
【図７】図７は、第１実施形態に係るカフの一例を示す図である。
【図８】図８の（Ａ）及び（Ｂ）は、第１実施形態に係るカフの一例を示す図である。
【図９】図９の（Ａ）及び（Ｂ）は、第１実施形態に係るカフの一例を示す図である。
【図１０】図１０は、第２実施形態に係るカフの一例を示す図である。
【図１１】図１１の（Ａ）及び（Ｂ）は、第２実施形態に係るカフの一例を示す図である。
【図１２】図１２は、第２実施形態に係るカフの一例を示す図である。
【図１３】図１３の（Ａ）及び（Ｂ）は、第２実施形態に係るカフの一例を示す図である。
【図１４】図１４の（Ａ）及び（Ｂ）は、第３実施形態に係るカフの一例を示す図である。
【図１５】図１５の（Ａ）及び（Ｂ）は、第３実施形態に係るカフの一例を示す図である。
【図１６】図１６は、第３実施形態に係るカフの一例を示す図である。
【図１７】図１７の（Ａ）及び（Ｂ）は、第３実施形態に係るカフの一例を示す図である。
【図１８】図１８の（Ａ）及び（Ｂ）は、第３実施形態に係るカフの一例を示す図である。
【発明を実施するための形態】
【０００８】
以下、本発明の実施の形態を、図面に基づいて説明する。なお、以下に説明する実施の形態は、本発明を実施する一例を示すものであって、本発明を以下に説明する具体的な構成に限定するものではない。
【０００９】
〈第１実施形態〉
図１から図９を参照して、第１実施形態を説明する。図１は、第１実施形態に係る血圧測定装置１の一例を示す図である。血圧測定装置１は、被測定者の指５に巻き付けられるカフ２と、カフ２を介して指５の動脈の血圧を連続測定する血圧計本体３と、カフ２と血圧計本体３とを接続するケーブル４とを備える。血圧測定装置１は、例えば、容積補償法を用いて指５の動脈の血圧を連続測定してもよいし、他の方法を用いて指５の動脈の血圧を連続測定してもよい。カフ２は、指用血圧計用カフの一例である。カフ２は、被測定対象である指５に装着される。カフ２は、基部２１と、可動部２２Ａ，２２Ｂと、調節用ネジ２３Ａ，２３Ｂと、空気袋２４と、回動部３３Ａ，３３Ｂとを備える。また、カフ２は、指５の動脈の圧脈波を検出する検出部を基部２１の内部に備える。
【００１０】
血圧計本体３は、空気袋２４に空気を供給する供給装置と、カフ２の駆動を制御する制御装置とを備える。血圧計本体３の制御装置は、各種の演算処理を行うためのＣＰＵ（Central Processing Unit）、プログラムや各種データを記憶するメモリ等を備える。メモリは、例えば、ＲＯＭ（Read Only Memory）及びＲＡＭ（Random Access Memory）である。血圧計本体３の制御装置は、空気袋２４に供給される空気の圧力や供給量を制御するとともに、カフ２によって検出された各種のデータを取得する。ケーブル４は、一本であってもよいし、複数本であってもよい。
【００１１】
基部２１は、指５の周囲の一部に沿う湾曲部３１を有する。可動部２２Ａは、指５の周囲の一部に沿う湾曲部３２Ａを有する。可動部２２Ｂは、指５の周囲の一部に沿う湾曲部３２Ｂを有する。可動部２２Ａは、回動部３３Ａを介して基部２１に連結され、可動部２２Ｂは、回動部３３Ｂを介して基部２１に連結されている。可動部２２Ａの湾曲部３２Ａと可動部２２Ｂの湾曲部３２Ｂとが対向するようにして、可動部２２Ａ及び可動部２２Ｂが配置されている。
【００１２】
図２は、第１実施形態に係るカフ２の一例を示す図である。調節用ネジ２３Ａは、可動部２２Ａの基部２１に対する角度（θ）を調節する。調節用ネジ２３Ａは、調節部の一例である。調節用ネジ２３Ａは、基部２１及び可動部２２Ａに接続されている。調節用ネジ２３Ａは、可動部２２Ａの基端部分を貫通し、且つ、調節用ネジ２３Ａの先端部分が基部２１に埋まっている。調節用ネジ２３Ａを回すことにより、可動部２２Ａに対して力が加えられるとともに、回動部３３Ａが回動して基部２１に対する可動部２２Ａの角度が変化する。例えば、調節用ネジ２３Ａを締めることにより、可動部２２Ａに対して基部２１から離れる方向に力が加えられるとともに、回動部３３Ａが回動して基部２１に対する可動部２２Ａの角度が小さくなる。例えば、調節用ネジ２３Ａを緩めることにより、可動部２２Ａに対して基部２１に近づく方向に力が加えられるとともに、回動部３３Ａが回動して基部２１に対する可動部２２Ａの角度が大きくなる。
【００１３】
調節用ネジ２３Ｂは、可動部２２Ｂの基部２１に対する角度（θ）を調節する。調節用ネジ２３Ｂは、調節部の一例である。調節用ネジ２３Ｂは、基部２１及び可動部２２Ａに接続されている。調節用ネジ２３Ｂは、可動部２２Ｂの基端部分を貫通し、且つ、調節用ネジ２３Ｂの先端部分が基部２１に埋まっている。調節用ネジ２３Ｂを回すことにより、可動部２２Ｂに対して力が加えられるとともに、回動部３３Ｂが回動して基部２１に対する可動部２２Ｂの角度が変化する。例えば、調節用ネジ２３Ｂを締めることにより、可動部２２Ｂに対して基部２１から離れる方向に力が加えられるとともに、回動部３３Ｂが回動して基部２１に対する可動部２２Ｂの角度が小さくなる。例えば、調節用ネジ２３Ｂを緩めることにより、可動部２２Ｂに対して基部２１に近づく方向に力が加えられるとともに、回動部３３Ｂが回動して基部２１に対する可動部２２Ｂの角度が大きくなる。
【００１４】
指５にカフ２を装着する際、調節用ネジ２３Ａ，２３Ｂを緩めることにより、基部２１に対する可動部２２Ａ，２２Ｂの角度が大きくなり、カフ２が開いた状態となる。カフ２が開いた状態で指５をカフ２の内部に収容し、調節用ネジ２３Ａ，２３Ｂを締めることにより、基部２１に対する可動部２２Ａ，２２Ｂの角度が小さくなる。指５がカフ２の内部に収容され、基部２１に対する可動部２２Ａ，２２Ｂの角度が小さくなることにより、指５にカフ２が固定される。したがって、調節用ネジ２３Ａ，２３Ｂを締めることにより、指５の周囲に基部２１及び可動部２２Ａ，２２Ｂが装着された状態で、指５にカフ２が固定される。
【００１５】
図３は、第１実施形態に係るカフ２の一例を示す図である。図３は、指５にカフ２を装着し、調節用ネジ２３Ａ，２３Ｂを締めて指５にカフ２を固定した状態を示している。可動部２２Ａの先端部分２５Ａと可動部２２Ｂの先端部分２５Ｂとは接触しておらず、可動部２２Ａの先端部分２５Ａと可動部２２Ｂの先端部分２５Ｂとの間に開口部３４が形成されている。したがって、指５の周囲の一部に開口部３４が形成された状態で、基部２１及び可動部２２Ａ，２２Ｂが指５に装着されている。指５にカフ２を固定した場合、可動部２２Ａの先端部分２５Ａと可動部２２Ｂの先端部分２５Ｂとの間の距離は、例えば、５ｍｍ程度であるが、この値に限定されず他の値であってもよい。
【００１６】
図３に示すカフ２は、可動部２２Ａ，２２Ｂの形状が、指５の軸に対して対称（図３の紙面では左右対称）である。したがって、可動部２２Ａの湾曲部３２Ａの形状と可動部２２Ｂの湾曲部３２Ｂの形状とが、指５の軸に対して対称である。そのため、可動部２２Ａの湾曲部３２Ａの長さと可動部２２Ｂの湾曲部３２Ｂの長さとが同じである。
【００１７】
空気袋２４は、ケーブル４を介して、血圧計本体３からの空気の供給を受けて膨張する。空気袋２４は、圧迫部の一例である。空気袋２４は、基部２１、可動部２２Ａ，２２Ｂ及び開口部３４によって形成されるカフ２の内周部の少なくとも一部に設けられている。空気袋２４が膨張することにより、指５の周囲の一部を圧迫する。空気袋２４に対する空気の圧力や供給量が制御されることにより、指５に対する加圧及び減圧が行われる。指５に対して加圧及び減圧を交互に繰り返すことにより、指５の動脈の血圧の連続測定が行われる。調節用ネジ２３Ａ，２３Ｂによって指５がカフ２に固定されているため、空気袋２４が膨張して指５の周囲の一部を圧迫する際、カフ２が指５から外れることが抑制される。図４は、第１実施形態に係るカフ２の一例を示す図である。図４は、カフ２が開いた状態を示している。カフ２が開いた状態で指５に対するカフ２の取り外しが行われる。
【００１８】
図５の（Ａ）及び（Ｂ）は、第１実施形態に係るカフ２の一例を示す図である。図５の（Ａ）に示すカフ２は、可動部２２Ａ，２２Ｂの形状が、指５の軸に対して非対称（図５の（Ａ）の紙面では左右非対称）である。可動部２２Ａの湾曲部３２Ａの形状と可動部２２Ｂの湾曲部３２Ｂの形状とが、指５の軸に対して非対称であり、可動部２２Ａの湾曲部３２Ａの長さが可動部２２Ｂの湾曲部３２Ｂの長さよりも長い。可動部２２Ａの湾曲部３２Ａの長さが可動部２２Ｂの湾曲部３２Ｂの長さよりも長いため、空気袋２４が膨張して指５の周囲の一部を圧迫する際、カフ２が指５から外れることが更に抑制される。したがって、指５に対してカフ２をより確実に固定することができる。
【００１９】
図５の（Ｂ）に示すカフ２は、可動部２２Ａ，２２Ｂの形状が、指５の軸に対して非対称（図５の（Ｂ）の紙面では左右非対称）である。可動部２２Ａの湾曲部３２Ａの形状と可動部２２Ｂの湾曲部３２Ｂの形状とが、指５の軸に対して非対称であり、可動部２２Ｂの湾曲部３２Ｂの長さが可動部２２Ａの湾曲部３２Ａの長さよりも長い。可動部２２Ｂの湾曲部３２Ｂの長さが可動部２２Ａの湾曲部３２Ａの長さよりも長いため、空気袋２４が膨張して指５の周囲の一部を圧迫する際、カフ２が指５から外れることが更に抑制される。したがって、指５に対してカフ２をより確実に固定することができる。
【００２０】
図１から図５を参照して、一つの基部２１、複数の可動部２２（２２Ａ，２２Ｂ）、複数の調節用ネジ２３（２３Ａ，２３Ｂ）及び複数の回動部３３（３３Ａ，３３Ｂ）を備えるカフ２の構成例について説明した。図６から図８を参照して、一つの基部２１、一つの可動部２２（２２Ａ）、一つの調節用ネジ２３（２３Ａ）及び一つの回動部３３（３３Ａ）を備えるカフ２の構成例について説明する。図６は、第１実施形態に係るカフ２の一例を示す図である。図６に示すように、基部２１には、図３に示す可動部２２Ｂと同様の形状を有する突起部３５が設けられている。換言すれば、基部２１及び突起部３５が一体に形成されている。突起部３５は、指５の周囲の一部に沿う湾曲部３６を有する。可動部２２Ａの湾曲部３２Ａと突起部３５の湾曲部３６とが対向するようにして、可動部２２Ａ及び突起部３５が配置されている。
【００２１】
図６は、指５にカフ２を装着し、調節用ネジ２３Ａを締めて指５にカフ２を固定した状態を示している。可動部２２Ａの先端部分２５Ａと突起部３５の先端部分３７とは接触しておらず、可動部２２Ａの先端部分２５Ａと突起部３５の先端部分３７との間に開口部３４が形成されている。したがって、指５の周囲の一部に開口部３４が形成された状態で、基部２１、突起部３５及び可動部２２Ａが指５に装着されている。図６に示すカフ２は、可動部２２Ａの湾曲部３２Ａの形状と突起部３５の湾曲部３６の形状とが、指５の軸に対して対称（図６の紙面では左右対称）であり、可動部２２Ａの湾曲部３２Ａの長さと突起部３５の湾曲部３６の長さとが同じである。
【００２２】
空気袋２４は、基部２１、可動部２２Ａ、開口部３４及び突起部３５によって形成されるカフ２の内周部の少なくとも一部に設けられている。空気袋２４が膨張することにより、指５の周囲の一部を圧迫する。調節用ネジ２３Ａによって指５がカフ２に固定されているため、空気袋２４が膨張して指５の周囲の一部を圧迫する際、カフ２が指５から外れることが抑制される。図７は、第１実施形態に係るカフ２の一例を示す図である。図７は、カフ２が開いた状態を示している。カフ２が開いた状態で指５に対するカフ２の取り外しが行われる。
【００２３】
図８の（Ａ）及び（Ｂ）は、第１実施形態に係るカフ２の一例を示す図である。図８の（Ａ）に示すカフ２は、可動部２２Ａの湾曲部３２Ａの形状と突起部３５の湾曲部３６の形状とが、指５の軸に対して非対称（図８の（Ａ）の紙面では左右非対称）であり、可動部２２Ａの湾曲部３２Ａの長さが突起部３５の湾曲部３６の長さよりも長い。可動部２２Ａの湾曲部３２Ａの長さが突起部３５の湾曲部３６の長さよりも長いため、空気袋２４が膨張して指５の周囲の一部を圧迫する際、カフ２が指５から外れることが更に抑制される。したがって、指５に対してカフ２をより確実に固定することができる。
【００２４】
図８の（Ｂ）に示すカフ２は、可動部２２Ａの湾曲部３２Ａの形状と突起部３５の湾曲部３６の形状とが、指５の軸に対して非対称（図８の（Ｂ）の紙面では左右非対称）であり、突起部３５の湾曲部３６の長さが可動部２２Ａの湾曲部３２Ａの長さよりも長い。突起部３５の湾曲部３６の長さが可動部２２Ａの湾曲部３２Ａの長さよりも長いため、空気袋２４が膨張して指５の周囲の一部を圧迫する際、カフ２が指５から外れることが更に抑制される。したがって、指５に対してカフ２をより確実に固定することができる。
【００２５】
図９の（Ａ）及び（Ｂ）は、第１実施形態に係るカフ２の一例を示す図である。図９の（Ａ）及び（Ｂ）に示すように、カフ２が指５を３点（例えば、点線１１Ａ，１１Ｂ，１１Ｃで囲まれた領域）で支持してもよい。図９の（Ａ）は、一つの基部２１、複数の可動部２２（２２Ａ，２２Ｂ）、複数の調節用ネジ２３（２３Ａ，２３Ｂ）及び複数の回動部３３（３３Ａ，３３Ｂ）を備えるカフ２の一例である。図９の（Ａ）に示すカフ２の構成例では、基部２１の所定箇所、可動部２２Ａの所定箇所及び可動部２２Ｂの所定箇所によって指５が支持されている。図９の（Ｂ）は、一つの基部２１、一つの可動部２２（２２Ａ）、一つの調節用ネジ２３（２３Ａ）及び一つの回動部３３（３３Ａ）を備えるカフ２の一例である。図９の（Ｂ）に示すカフ２の構成例では、基部２１の所定箇所、突起部３５の所定箇所及び可動部２２Ａの所定箇所によって指５が支持されている。なお、図９の（Ａ）及び（Ｂ）では、空気袋２４の図示を省略しているが、空気袋２４を介してカフ２が指５を３点で支持してもよい。
【００２６】
〈第２実施形態〉
図１０から図１３を参照して、第２実施形態を説明する。第２実施形態に係る血圧測定装置１が備える血圧計本体３及びケーブル４は、第１実施形態と同様であるのでその説明を省略する。また、第１実施形態と同一の構成要素については、第１実施形態と同一の符号を付し、その説明を省略する。図１０は、第２実施形態に係るカフ２の一例を示す図である。カフ２は、基部２１と、可動部２２Ａ，２２Ｂと、空気袋２４と、回動部３３Ａ，３３Ｂと、調節用バネ４１Ａ，４２Ｂとを備える。図１０は、指５にカフ２を装着し、指５にカフ２を固定した状態を示している。
【００２７】
調節用バネ４１Ａは、可動部２２Ａの基部２１に対する角度（θ）を調節する。調節用バネ４１Ａは、調節部の一例である。調節用バネ４１Ａは、調節用の弾性体の一例である。調節用バネ４１Ａは、例えば、スプリングバネや板バネである。図１０に示すように、調節用バネ４１Ａは、基部２１と可動部２２Ａの基端部分との間に配置され、基部２１及び可動部２２Ａの基端部分に接続されている。調節用バネ４１Ａが伸びることにより、可動部２２Ａに対して基部２１から離れる方向に力が加えられるとともに、回動部３３Ａが回動して基部２１に対する可動部２２Ａの角度が小さくなる。調節用バネ４１Ａが縮むことにより、可動部２２Ａに対して基部２１に近づく方向に力が加えられるとともに、回動部３３Ａが回動して基部２１に対する可動部２２Ａの角度が大きくなる。
【００２８】
調節用バネ４１Ｂは、可動部２２Ｂの基部２１に対する角度（θ）を調節する。調節用バネ４１Ｂは、調節部の一例である。調節用バネ４１Ｂは、調節用の弾性体の一例である。調節用バネ４１Ｂは、例えば、スプリングバネや板バネである。図１０に示すように、調節用バネ４１Ｂは、基部２１と可動部２２Ｂの基端部分との間に配置され、基部２１及び可動部２２Ｂの基端部分に接続されている。調節用バネ４１Ｂが伸びることにより、可動部２２Ｂに対して基部２１から離れる方向に力が加えられるとともに、回動部３３Ｂが回動して基部２１に対する可動部２２Ｂの角度が小さくなる。調節用バネ４１Ｂが縮むことにより、可動部２２Ｂに対して基部２１に近づく方向に力が加えられるとともに、回動部３３Ｂが回動して基部２１に対する可動部２２Ｂの角度が大きくなる。
【００２９】
指５にカフ２を装着する際、可動部２２Ａ，２２Ｂとの間の隙間に指５を挿し込むことにより、基部２１に対する可動部２２Ａ，２２Ｂの角度が大きくなり、カフ２が開いた状態となる。指５がカフ２の内部に収容されると、基部２１に対する可動部２２Ａ，２２Ｂの角度が小さくなる。指５がカフ２の内部に収容され、基部２１に対する可動部２２Ａ，２２Ｂの角度が小さくなることにより、指５にカフ２が固定される。したがって、指５の周囲に基部２１及び可動部２２Ａ，２２Ｂが装着された状態で、指５にカフ２が固定される。
【００３０】
可動部２２Ａの先端部分２５Ａと可動部２２Ｂの先端部分２５Ｂとは接触しておらず、可動部２２Ａの先端部分２５Ａと可動部２２Ｂの先端部分２５Ｂとの間に開口部３４が形成されている。したがって、指５の周囲の一部に開口部３４が形成された状態で、基部２１及び可動部２２Ａ，２２Ｂが指５に装着されている。図１０に示すカフ２は、可動部２２Ａ，２２Ｂの形状が、指５の軸に対して対称（図１０の紙面では左右対称）である。したがって、可動部２２Ａの湾曲部３２Ａの形状と可動部２２Ｂの湾曲部３２Ｂの形状とが、指５の軸に対して対称である。そのため、可動部２２Ａの湾曲部３２Ａの長さと可動部２２Ｂの湾曲部３２Ｂの長さとが同じである。
【００３１】
空気袋２４は、基部２１、可動部２２Ａ，２２Ｂ及び開口部３４によって形成されるカフ２の内周部の少なくとも一部に設けられている。空気袋２４が膨張することにより、指５の周囲の一部を圧迫する。調節用バネ４１Ａ，４１Ｂによって指５がカフ２に固定されているため、空気袋２４が膨張して指５の周囲の一部を圧迫する際、カフ２が指５から外れることが抑制される。
【００３２】
図１１の（Ａ）及び（Ｂ）は、第２実施形態に係るカフ２の一例を示す図である。図１１の（Ａ）に示すカフ２は、可動部２２Ａ，２２Ｂの形状が、指５の軸に対して非対称（図１１の（Ａ）の紙面では左右非対称）である。可動部２２Ａの湾曲部３２Ａの形状と可動部２２Ｂの湾曲部３２Ｂの形状とが、指５の軸に対して非対称であり、可動部２２Ａの湾曲部３２Ａの長さが可動部２２Ｂの湾曲部３２Ｂの長さよりも長い。可動部２２Ａの湾曲部３２Ａの長さが可動部２２Ｂの湾曲部３２Ｂの長さよりも長いため、空気袋２４が膨張して指５の周囲の一部を圧迫する際、カフ２が指５から外れることが更に抑制される。したがって、指５に対してカフ２をより確実に固定することができる。
【００３３】
図１１の（Ｂ）に示すカフ２は、可動部２２Ａ，２２Ｂの形状が、指５の軸に対して非対称（図１１の（Ｂ）の紙面では左右非対称）である。可動部２２Ａの湾曲部３２Ａの形状と可動部２２Ｂの湾曲部３２Ｂの形状とが、指５の軸に対して非対称であり、可動部２２Ｂの湾曲部３２Ｂの長さが可動部２２Ａの湾曲部３２Ａの長さよりも長い。可動部２２Ｂの湾曲部３２Ｂの長さが可動部２２Ａの湾曲部３２Ａの長さよりも長いため、空気袋２４が膨張して指５の周囲の一部を圧迫する際、カフ２が指５から外れることが更に抑制される。したがって、指５に対してカフ２をより確実に固定することができる。
【００３４】
図１０から図１１を参照して、一つの基部２１、複数の可動部２２（２２Ａ，２２Ｂ）、複数の回動部３３（３３Ａ，３３Ｂ）及び複数の調節用バネ４１（４１Ａ，４１Ｂ）を備えるカフ２の構成例について説明した。図１２から図１３を参照して、一つの基部２１、一つの可動部２２（２２Ａ）、一つの回動部３３（３３Ａ）及び一つの調節用バネ４１（４１Ａ）を備えるカフ２の構成例について説明する。図１２は、第２実施形態に係るカフ２の一例を示す図である。図１２に示すように、基部２１には、図１０に示す可動部２２Ｂと同様の形状を有する突起部３５が設けられている。換言すれば、基部２１及び突起部３５が一体に形成されている。突起部３５は、指５の周囲の一部に沿う湾曲部３６を有する。可動部２２Ａの湾曲部３２Ａと突起部３５の湾曲部３６とが対向するようにして、可動部２２Ａ及び突起部３５が配置されている。
【００３５】
図１２は、指５にカフ２を装着し、指５にカフ２を固定した状態を示している。可動部２２Ａの先端部分２５Ａと突起部３５の先端部分３７とは接触しておらず、可動部２２Ａの先端部分２５Ａと突起部３５の先端部分３７との間に開口部３４が形成されている。したがって、指５の周囲の一部に開口部３４が形成された状態で、基部２１、突起部３５及び可動部２２Ａが指５に装着されている。図１２に示すカフ２は、可動部２２Ａの湾曲部３２Ａの形状と突起部３５の湾曲部３６の形状とが、指５の軸に対して対称（図１２の紙面では左右対称）であり、可動部２２Ａの湾曲部３２Ａの長さと突起部３５の湾曲部３６の長さとが同じである。
【００３６】
空気袋２４は、基部２１、可動部２２Ａ、開口部３４及び突起部３５によって形成されるカフ２の内周部の少なくとも一部に設けられている。空気袋２４が膨張することにより、指５の周囲の一部を圧迫する。調節用バネ４１Ａによって指５に対してカフ２を固定することにより、空気袋２４が膨張して指５の周囲の一部を圧迫する際、カフ２が指５から外れることが抑制される。
【００３７】
図１３の（Ａ）及び（Ｂ）は、第２実施形態に係るカフ２の一例を示す図である。図１３の（Ａ）に示すカフ２は、可動部２２Ａの湾曲部３２Ａの形状と突起部３５の湾曲部３６の形状とが、指５の軸に対して非対称（図１３の（Ａ）の紙面では左右非対称）であり、可動部２２Ａの湾曲部３２Ａの長さが突起部３５の湾曲部３６の長さよりも長い。可動部２２Ａの湾曲部３２Ａの長さが突起部３５の湾曲部３６の長さよりも長いため、空気袋２４が膨張して指５の周囲の一部を圧迫する際、カフ２が指５から外れることが更に抑制される。したがって、指５に対してカフ２をより確実に固定することができる。
【００３８】
図１３の（Ｂ）に示すカフ２は、可動部２２Ａの湾曲部３２Ａの形状と突起部３５の湾曲部３６の形状とが、指５の軸に対して非対称（図１３の（Ｂ）の紙面では左右非対称）であり、突起部３５の湾曲部３６の長さが可動部２２Ａの湾曲部３２Ａの長さよりも長い。突起部３５の湾曲部３６の長さが可動部２２Ａの湾曲部３２Ａの長さよりも長いため、空気袋２４が膨張して指５の周囲の一部を圧迫する際、カフ２が指５から外れることが更に抑制される。したがって、指５に対してカフ２をより確実に固定することができる。
【００３９】
〈第３実施形態〉
図１４から図１８を参照して、第３実施形態を説明する。第３実施形態に係る血圧測定装置１が備える血圧計本体３及びケーブル４は、第１実施形態と同様であるのでその説明を省略する。また、第１実施形態と同一の構成要素については、第１実施形態と同一の符号を付し、その説明を省略する。図１４の（Ａ）及び（Ｂ）は、第３実施形態に係るカフ２の一例を示す図である。カフ２は、基部２１と、可動部２２Ａ，２２Ｂと、空気袋２４と、回動部３３Ａ，３３Ｂと、調節用帯部材５１，５２とを備える。図１４の（Ａ）は、指５にカフ２を装着した状態を示している。図１４の（Ｂ）は、指５にカフ２を装着し、指５にカフ２を固定した状態を示している。
【００４０】
調節用帯部材５１は、可動部２２Ａの基部２１に対する角度（θ）を調節する。調節用帯部材５２は、可動部２２Ｂの基部２１に対する角度（θ）を調節する。調節用帯部材５１，５２は、調節部の一例である。調節用帯部材５１，５２は、例えば、調節用のベルト又は面ファスナーである。図１４の（Ａ）及び（Ｂ）に示すように、調節用帯部材５１の一方の端部が、可動部２２Ａの外周面に設けられ、調節用帯部材５２が、可動部２２Ｂの外周面に設けられている。調節用帯部材５１の長さが、調節用帯部材５２の長さよりも長い。調節用帯部材５１を引っ張ることにより、可動部２２Ａに対して基部２１から離れる方向に力が加えられるとともに、回動部３３Ａが回動して基部２１に対する可動部２２Ａの角度が変化する。調節用帯部材５２を引っ張ることにより、可動部２２Ｂに対して基部２１から離れる方向に力が加えられるとともに、回動部３３Ｂが回動して基部２１に対する可動部２２Ｂの角度が変化する。
【００４１】
調節用帯部材５１の他方の端部は、調節用帯部材５２に着脱可能に固定される。調節用帯部材５１の他方の端部における任意の位置を、調節用帯部材５２に取り付けることが可能である。指５にカフ２を装着する際、調節用帯部材５１の他方の端部を調節用帯部材５２から取り外すことにより、カフ２が開いた状態となる。カフ２が開いた状態で指５をカフ２の内部に収容する。調節用帯部材５１，５２を引っ張りながら、調節用帯部材５１の他方の端部を調節用帯部材５２に取り付けることにより、基部２１に対する可動部２２Ａ，２２Ｂの角度が小さくなる。指５がカフ２の内部に収容され、基部２１に対する可動部２２Ａ，２２Ｂの角度が小さくなることにより、指５にカフ２が固定される。したがって、指５の周囲に基部２１及び可動部２２Ａ，２２Ｂが装着された状態で、指５にカフ２が固定される。
【００４２】
可動部２２Ａの先端部分２５Ａと可動部２２Ｂの先端部分２５Ｂとは接触しておらず、可動部２２Ａの先端部分２５Ａと可動部２２Ｂの先端部分２５Ｂとの間に開口部３４が形成されている。したがって、指５の周囲の一部に開口部３４が形成された状態で、可動部２２Ａ，２２Ｂが指５に装着されている。図１４の（Ｂ）に示すように、調節用帯部材５１の他方の端部を調節用帯部材５２に取り付けた場合、調節用帯部材５１の一部が開口部３４を覆う。図１４の（Ａ）及び（Ｂ）に示すカフ２は、可動部２２Ａ，２２Ｂの形状が、指５の軸に対して対称（図１４の（Ａ）及び（Ｂ）の紙面では左右対称）である。したがって、可動部２２Ａの湾曲部３２Ａの形状と可動部２２Ｂの湾曲部３２Ｂの形状とが、指５の軸に対して対称である。そのため、可動部２２Ａの湾曲部３２Ａの長さと可動部２２Ｂの湾曲部３２Ｂの長さとが同じである。
【００４３】
空気袋２４は、基部２１、可動部２２Ａ，２２Ｂ及び開口部３４によって形成されるカフ２の内周部の少なくとも一部に設けられている。空気袋２４が膨張することにより、指５の周囲の一部を圧迫する。調節用帯部材５１，５２によって指５がカフ２に固定されているため、空気袋２４が膨張して指５の周囲の一部を圧迫する際、カフ２が指５から外れることが抑制される。
【００４４】
図１５の（Ａ）及び（Ｂ）は、第３実施形態に係るカフ２の一例を示す図である。図１５の（Ａ）及び（Ｂ）に示すカフ２は、可動部２２Ａ，２２Ｂの形状が、指５の軸に対して非対称（図１５の（Ａ）及び（Ｂ）の紙面では左右非対称）である。可動部２２Ａの湾曲部３２Ａの形状と可動部２２Ｂの湾曲部３２Ｂの形状とが、指５の軸に対して非対称であり、可動部２２Ｂの湾曲部３２Ｂの長さが可動部２２Ａの湾曲部３２Ａの長さよりも長い。可動部２２Ｂの湾曲部３２Ｂの長さが可動部２２Ａの湾曲部３２Ａの長さよりも長いため、空気袋２４が膨張して指５の周囲の一部を圧迫する際、カフ２が指５から外れることが更に抑制される。したがって、指５に対してカフ２をより確実に固定することができる。
【００４５】
図１５の（Ａ）に示すように、調節用帯部材５１が、可動部２２Ａの外周面に設けられ、調節用帯部材５２の一方の端部が、可動部２２Ｂの外周面に設けられている。調節用帯部材５２の長さが、調節用帯部材５１の長さよりも長い。調節用帯部材５２の他方の端部は、調節用帯部材５１に着脱可能に固定される。調節用帯部材５２の他方の端部における任意の位置を、調節用帯部材５１に取り付けることが可能である。指５にカフ２を装着する際、調節用帯部材５２の他方の端部を調節用帯部材５１から取り外すことにより、カフ２が開いた状態となる。カフ２が開いた状態で指５をカフ２の内部に収容する。調節用帯部材５１，５２を引っ張りながら、調節用帯部材５２の他方の端部を調節用帯部材５１に取り付けることにより、基部２１に対する可動部２２Ａ，２２Ｂの角度が小さくなる。指５がカフ２の内部に収容され、基部２１に対する可動部２２Ａ，２２Ｂの角度が小さくなることにより、指５にカフ２が固定される。したがって、指５の周囲に基部２１及び可動部２２Ａ，２２Ｂが装着された状態で、指５にカフ２が固定される。
【００４６】
図１５の（Ｂ）に示すように、調節用帯部材５１の一方の端部が、可動部２２Ａの外周面に設けられ、調節用帯部材５２が、可動部２２Ｂの外周面に設けられている。調節用帯部材５１の長さが、調節用帯部材５２の長さよりも長い。調節用帯部材５１の他方の端部は、調節用帯部材５２に着脱可能に固定される。調節用帯部材５１の他方の端部における任意の位置を、調節用帯部材５２に取り付けることが可能である。指５にカフ２を装着する際、調節用帯部材５１の他方の端部を調節用帯部材５２から取り外すことにより、カフ２が開いた状態となる。カフ２が開いた状態で指５をカフ２の内部に収容する。調節用帯部材５１，５２を引っ張りながら、調節用帯部材５１の他方の端部を調節用帯部材５２に取り付けることにより、基部２１に対する可動部２２Ａ，２２Ｂの角度が小さくなる。指５がカフ２の内部に収容され、基部２１に対する可動部２２Ａ，２２Ｂの角度が小さくなることにより、指５にカフ２が固定される。したがって、指５の周囲に基部２１及び可動部２２Ａ，２２Ｂが装着された状態で、指５にカフ２が固定される。
【００４７】
図１４から図１５を参照して、一つの基部２１、複数の可動部２２（２２Ａ，２２Ｂ）、複数の回動部３３（３３Ａ，３３Ｂ）及び一対の調節用帯部材５１，５２を備えるカフ２の構成例について説明した。図１６から図１８を参照して、一つの基部２１、一つの可動部２２（２２Ａ）、一つの回動部３３（３３Ａ）及び一対の調節用帯部材５１，５２を備えるカフ２の構成例について説明する。図１６は、第３実施形態に係るカフ２の一例を示す図である。図１６に示すように、基部２１には、図１４に示す可動部２２Ｂと同様の形状を有する突起部３５が設けられている。換言すれば、基部２１及び突起部３５が一体に形成されている。突起部３５は、指５の周囲の一部に沿う湾曲部３６を有する。可動部２２Ａの湾曲部３２Ａと突起部３５の湾曲部３６とが対向するようにして、可動部２２Ａ及び突起部３５が配置されている。
【００４８】
図１６は、指５にカフ２を装着した状態を示している。可動部２２Ａの先端部分２５Ａと突起部３５の先端部分３７とは接触しておらず、可動部２２Ａの先端部分２５Ａと突起部３５の先端部分３７との間に開口部３４が形成されている。したがって、指５の周囲の一部に開口部３４が形成された状態で、基部２１、突起部３５及び可動部２２Ａが指５に装着されている。図１６に示すカフ２は、可動部２２Ａの湾曲部３２Ａの形状と突起部３５の湾曲部３６の形状とが、指５の軸に対して対称（図１６の紙面では左右対称）であり、可動部２２Ａの湾曲部３２Ａの長さと突起部３５の湾曲部３６の長さとが同じである。
【００４９】
空気袋２４は、基部２１、可動部２２Ａ，開口部３４及び突起部３５によって形成されるカフ２の内周部の少なくとも一部に設けられている。空気袋２４が膨張することにより、指５の周囲の一部を圧迫する。調節用帯部材５１，５２によって指５に対してカフ２を固定することにより、空気袋２４が膨張して指５の周囲の一部を圧迫する際、カフ２が指５から外れることが抑制される。
【００５０】
図１７の（Ａ）及び（Ｂ）は、第３実施形態に係るカフ２の一例を示す図である。図１７の（Ａ）及び（Ｂ）に示すカフ２は、可動部２２Ａの湾曲部３２Ａの形状と突起部３５の湾曲部３６の形状とが、指５の軸に対して非対称（図１７の（Ａ）及び（Ｂ）の紙面では左右非対称）であり、突起部３５の湾曲部３６の長さが可動部２２Ａの湾曲部３２Ａの長さよりも長い。突起部３５の湾曲部３６の長さが可動部２２Ａの湾曲部３２Ａの長さよりも長いため、空気袋２４が膨張して指５の周囲の一部を圧迫する際、カフ２が指５から外れることが更に抑制される。したがって、指５に対してカフ２をより確実に固定することができる。
【００５１】
図１７の（Ａ）に示すように、調節用帯部材５１が、可動部２２Ａの外周面に設けられ、調節用帯部材５２の一方の端部が、突起部３５の外周面に設けられている。調節用帯部材５２の長さが、調節用帯部材５１の長さよりも長い。調節用帯部材５２の他方の端部は、調節用帯部材５１に着脱可能に固定される。調節用帯部材５２の他方の端部における任意の位置を、調節用帯部材５１に取り付けることが可能である。指５にカフ２を装着する際、調節用帯部材５２の他方の端部を調節用帯部材５１から取り外すことにより、カフ２が開いた状態となる。カフ２が開いた状態で指５をカフ２の内部に収容する。調節用帯部材５１を引っ張りながら、調節用帯部材５２の他方の端部を調節用帯部材５１に取り付けることにより、基部２１に対する可動部２２Ａの角度が小さくなる。指５がカフ２の内部に収容され、基部２１に対する可動部２２Ａの角度が小さくなることにより、指５にカフ２が固定される。したがって、指５の周囲に基部２１、可動部２２Ａ及び突起部３５が装着された状態で、指５にカフ２が固定される。
【００５２】
図１７の（Ｂ）に示すように、調節用帯部材５１の一方の端部が、可動部２２Ａの外周面に設けられ、調節用帯部材５２が、突起部３５の外周面に設けられている。調節用帯部材５１の長さが、調節用帯部材５２の長さよりも長い。調節用帯部材５１の他方の端部は、調節用帯部材５２に着脱可能に固定される。調節用帯部材５１の他方の端部における任意の位置を、調節用帯部材５２に取り付けることが可能である。指５にカフ２を装着する際、調節用帯部材５１の他方の端部を調節用帯部材５２から取り外すことにより、カフ２が開いた状態となる。カフ２が開いた状態で指５をカフ２の内部に収容する。調節用帯部材５１を引っ張りながら、調節用帯部材５１の他方の端部を調節用帯部材５２に取り付けることにより、基部２１に対する可動部２２Ａの角度が小さくなる。指５がカフ２の内部に収容され、基部２１に対する可動部２２Ａの角度が小さくなることにより、指５にカフ２が固定される。したがって、指５の周囲に基部２１、可動部２２Ａ及び突起部３５が装着された状態で、指５にカフ２が固定される。
【００５３】
図１８の（Ａ）及び（Ｂ）は、第３実施形態に係るカフ２の一例を示す図である。図１８の（Ａ）及び（Ｂ）に示すカフ２は、可動部２２Ａの湾曲部３２Ａの形状と突起部３５の湾曲部３６の形状とが、指５の軸に対して非対称（図１８の（Ａ）及び（Ｂ）の紙面では左右非対称）であり、可動部２２Ａの湾曲部３２Ａの長さが突起部３５の湾曲部３６の長さよりも長い。可動部２２Ａの湾曲部３２Ａの長さが突起部３５の湾曲部３６の長さよりも長いため、空気袋２４が膨張して指５の周囲の一部を圧迫する際、カフ２が指５から外れることが更に抑制される。したがって、指５に対してカフ２をより確実に固定することができる。
【００５４】
図１８の（Ａ）に示すように、調節用帯部材５１の一方の端部が、可動部２２Ａの外周面に設けられ、調節用帯部材５２が、突起部３５の外周面に設けられている。調節用帯部材５１の長さが、調節用帯部材５２の長さよりも長い。調節用帯部材５１の他方の端部は、調節用帯部材５２に着脱可能に固定される。調節用帯部材５１の他方の端部における任意の位置を、調節用帯部材５２に取り付けることが可能である。指５にカフ２を装着する際、調節用帯部材５１の他方の端部を調節用帯部材５２から取り外すことにより、カフ２が開いた状態となる。カフ２が開いた状態で指５をカフ２の内部に収容する。調節用帯部材５１を引っ張りながら、調節用帯部材５１の他方の端部を調節用帯部材５２に取り付けることにより、基部２１に対する可動部２２Ａの角度が小さくなる。指５がカフ２の内部に収容され、基部２１に対する可動部２２Ａの角度が小さくなることにより、指５にカフ２が固定される。したがって、指５の周囲に基部２１、可動部２２Ａ及び突起部３５が装着された状態で、指５にカフ２が固定される。
【００５５】
図１８の（Ｂ）に示すように、調節用帯部材５１が、可動部２２Ａの外周面に設けられ、調節用帯部材５２の一方の端部が、突起部３５の外周面に設けられている。調節用帯部材５２の長さが、調節用帯部材５１の長さよりも長い。調節用帯部材５２の他方の端部は、調節用帯部材５１に着脱可能に固定される。調節用帯部材５２の他方の端部における任意の位置を、調節用帯部材５１に取り付けることが可能である。指５にカフ２を装着する際、調節用帯部材５２の他方の端部を調節用帯部材５１から取り外すことにより、カフ２が開いた状態となる。カフ２が開いた状態で指５をカフ２の内部に収容する。調節用帯部材５１を引っ張りながら、調節用帯部材５２の他方の端部を調節用帯部材５１に取り付けることにより、基部２１に対する可動部２２Ａの角度が小さくなる。指５がカフ２の内部に収容され、基部２１に対する可動部２２Ａの角度が小さくなることにより、指５にカフ２が固定される。したがって、指５の周囲に基部２１、可動部２２Ａ及び突起部３５が装着された状態で、指５にカフ２が固定される。
【００５６】
《各実施形態の効果》
各実施形態に係るカフ２によれば、指５にカフ２を固定した際、指５の周囲の一部に開口部３４が形成される。したがって、カフ２の一部が開口した状態で、空気袋２４が膨張して指５の周囲の一部を圧迫することで、指５の静脈が部分的に圧迫される。カフ２の一部が開口した状態で指５の動脈の血圧を測定するため、指５の動脈の血圧を測定する際における指５の鬱血を抑制することができる。バンド状カフで指５の全周を囲った状態で指５の動脈の血圧を連続測定すると、指５の静脈が過度に圧迫されることで指５が鬱血し、測定結果に影響を及ぼす場合がある。各実施形態に係るカフ２によれば、指５の動脈の血圧を連続測定する際における指５の鬱血を抑制することができ、測定結果の精度を向上することができる。
【００５７】
第１実施形態に係るカフ２によれば、調節用ネジ２３Ａ，２３Ｂを用いて、基部２１に対する可動部２２Ａ，２２Ｂの角度を調節することができる。第２実施形態に係るカフ２によれば、調節用バネ４１Ａ，４１Ｂを用いて、基部２１に対する可動部２２Ａ，２２Ｂの角度を調節することができる。第３実施形態に係るカフ２によれば、調節用帯部材５１，５２を用いて、基部２１に対する可動部２２Ａ，２２Ｂの角度を調節することができる。したがって、各実施形態に係るカフ２によれば、指５の太さに応じてカフ２の締め具合を調節することができるので、個人毎に指５の太さが異なっていても、指５の動脈の血圧を測定することができる。また、第２実施形態に係るカフ２によれば、指５をカフ２の内部に収容する際、基部２１に対する可動部２２Ａ，２２Ｂの角度が変化するため、第１，第３実施形態に係るカフ２と比べて、基部２１に対する可動部２２Ａ，２２Ｂの角度の調節が容易となる。
【符号の説明】
【００５８】
１    血圧測定装置
２    カフ
３    血圧計本体
４    ケーブル
５    指
２１  基部
２２Ａ，２２Ｂ  可動部
２３Ａ，２３Ｂ  調節用ネジ
２４  空気袋
２５Ａ，２５Ｂ，３７  先端部分
３１，３２Ａ，３２Ｂ，３６  湾曲部
３３Ａ，３３Ｂ  回動部
３４  開口部
３５  突起部
４１Ａ，４１Ｂ  調節用バネ
５１，５２  調節用帯部材
【図１】
0006791244.tif 000002
【図２】
0006791244.tif 000003
【図３】
0006791244.tif 000004
【図４】
0006791244.tif 000005
【図５】
0006791244.tif 000006
【図６】
0006791244.tif 000007
【図７】
0006791244.tif 000008
【図８】
0006791244.tif 000009
【図９】
0006791244.tif 000010
【図１０】
0006791244.tif 000011
【図１１】
0006791244.tif 000012
【図１２】
0006791244.tif 000013
【図１３】
0006791244.tif 000014
【図１４】
0006791244.tif 000015
【図１５】
0006791244.tif 000016
【図１６】
0006791244.tif 000017
【図１７】
0006791244.tif 000018
【図１８】
0006791244.tif 000019